(57)【要約】【課題】回動式カセット扉を有するカメラ一体型ＶＴＲは、本体部とカセット扉に電気回路があるため、扉の開閉に伴う電気的耐久性に問題があった。【解決手段】電気回路を、本体部のみとし、かつカセット扉の構成を、レンズ部１１とファインダ部１２の間にアーム９ａを有し、そのアーム９ａによりトップケース１０の中心軸を回転中心にして回動し開閉するように、本体部２とアーム９aを介して係合させることで、扉の開閉に伴う電気的耐久性の向上を図る。【選択図】図１
2008005369.tif 000002
【特許請求の範囲】
【請求項１】
カセット扉を開閉してカセットを脱着するカメラ一体型ＶＴＲにおいて、
前記カメラ一体型ＶＴＲの記録再生機構本体部の上部一方側に位置するレンズ部と、
前記レンズ部に縦属して位置するファインダ部と、
前記レンズ部と前記ファインダ部を覆う半円筒形トップケースと、
前記レンズ部とファインダ部との間に設けられる空隙に前記半円筒形トップケースの中心軸上の位置に支点を有するアームを有し、
前記アームは、前記支点を中心とする該アームの回動により当該カセット扉を開閉するために前記カセット扉の中間位置から突出して該カセット扉に一体的に構成され、
前記アームの回動により、前記半円筒形トップケースの中心軸を回転主軸として前記カセット扉を前記半円筒形トップケース上方に回転移動させることを特徴とするカメラ一体型ＶＴＲ。
【請求項２】
前記アームの先端部の支点に相当する位置に貫通穴を有することを特徴とする請求項１に記載のカメラ一体型ＶＴＲ。
【請求項３】
前記アームの貫通穴に係合する突起部を有する支持部を備えることを特徴とする請求項１に記載のカメラ一体型ＶＴＲ。
【請求項４】
前記カセット扉の少なくとも一側端部に前記カセット扉の回動に対応するスリットが形成された腕部を備え、
前記腕部のスリットと係合する突起部を有する支持部を備えることを特徴とする請求項１に記載のカメラ一体型ＶＴＲ。
【請求項５】
前記トップケースは、前記アームの回動範囲を確保するために、アームの軌道に沿ったスリットを設けることを特徴とする請求項１記載のカメラ一体型ＶＴＲ。
【請求項６】
前記カセット扉は、前記トップケースのスリットを隠すカバー部を有することを特徴とする請求項１に記載のカメラ一体型ＶＴＲ。
【請求項７】
前記カセット扉の両端部にハンドストラップの固定部を有し、前記固定部に取り付けられた前記ハンドストラップを持って前記カセット扉の開閉を行うことを特徴とする請求項１記載のカメラ一体型ＶＴＲ。
【発明の詳細な説明】
【技術分野】
【０００１】
本発明は、レンズ部と、ファインダ部と、それらを収納、保護するトップケースと、カセットを水平方向に挿入，配置して録画，再生する録画，再生機構部と、回動式カセット扉を備えたカメラ一体型ＶＴＲに関するものである。
【０００２】
本発明は、カメラ一体型ＶＴＲに関し、より詳細には、回動式カセット扉の開閉構造技術に関する。
【背景技術】
【０００３】
従来のカメラ一体型ＶＴＲは、撮影レンズ群、ＣＣＤ撮像素子及びファインダ等を有する光学機構部と、カセコン本体及び開閉動作するカセコン蓋を有する録画，再生機構部とを備え、本体部のカセコン本体に録画，再生機構部を配置させ、可動部のカセコン蓋に光学機構部を配置させ、カセコン本体の底面に回路基板を配して、小型化を達成している。（例えば、特許文献１参照。）
図７において、１はカメラ一体型ＶＴＲ、２は本体部、３はカセコン本体、４は可動部、５はカセコン蓋、６は回路基板、７は録画，再生機構部、８は光学機構部である。
【特許文献１】特開平６−２９０５７７号公報（第１−４頁、第４図）
【発明の開示】
【発明が解決しようとする課題】
【０００４】
しかしながら、前記従来の構成では、本体部と可動部の間はフレキシブルフラットケーブル等により電気的に接続されており、本体部と可動部の開閉による耐久性に問題が有った。
【０００５】
本発明は、前記従来の課題を解決するもので、小型で電気的接続を持たないカセット扉によって電気的耐久性に優れたカメラ一体型ＶＴＲを提供することを目的とする。
【課題を解決するための手段】
【０００６】
前記従来の課題を解決するために、本発明のカメラ一体型ＶＴＲは、カセット扉を開閉してカセットを脱着するカメラ一体型ＶＴＲにおいて、前記カメラ一体型ＶＴＲの記録再生機構本体部の上部一方側に位置するレンズ部と、前記レンズ部に縦属して位置するファインダ部と、前記レンズ部と前記ファインダ部を覆う半円筒形トップケースと、前記レンズ部とファインダ部との間に設けられる空隙に前記半円筒形トップケースの中心軸上の位置に支点を有するアームを有し、前記アームは、前記支点を中心とする該アームの回動により当該カセット扉を開閉するために前記カセット扉の中間位置から突出して該カセット扉に一体的に構成され、前記アームの回動により、前記半円筒形トップケースの中心軸を回転主軸として前記カセット扉を前記半円筒形トップケース上方に回転移動させることを特徴としたものである。
【０００７】
さらに、カメラ一体型ＶＴＲにおいて、前記アームの先端部の支点に相当する位置に貫通穴を有することを特徴としたものである。
【０００８】
さらに、カメラ一体型ＶＴＲにおいて、前記アームの貫通穴に係合する突起部を有する支持部を備えることを特徴としたものである。
【０００９】
さらに、カメラ一体型ＶＴＲにおいて、前記カセット扉の少なくとも一側端部に前記カセット扉の回動に対応するスリットが形成された腕部を備え、
前記腕部のスリットと係合する突起部を有する支持部を備えることを特徴としたものである。
【００１０】
さらに、カメラ一体型ＶＴＲにおいて、前記トップケースは、前記アームの回動範囲を確保するために、アームの軌道に沿ったスリットを設けることを特徴としたものである。
【００１１】
さらに、カメラ一体型ＶＴＲにおいて、前記カセット扉は、前記トップケースのスリットを隠すカバー部を有することを特徴としたものである。
【００１２】
さらに、カメラ一体型ＶＴＲにおいて、前記カセット扉の両端部にハンドストラップの固定部を有し、前記固定部に取り付けられた前記ハンドストラップを持って前記カセット扉の開閉を行うことを特徴としたものである。
【発明の効果】
【００１３】
以上のように本発明のカメラ一体型ＶＴＲによれば、電気的接続を持たないカセット扉が単独で開閉するため、電気的接続に対する耐久性の問題が解消できるという課題を解消することができる。
また、レンズ部とファインダ部の間に設けたアームによって支持されたカセット扉がトップケースの中心軸を回転中心にして回動し開閉することにより、開閉範囲が広くなり、録画，再生機構部の可動範囲を開閉させることができる。これによって更なる小型化が実現できる。
【発明を実施するための最良の形態】
【００１４】
以下に、本発明のカメラ一体型ＶＴＲの実施の形態を図面とともに詳細に説明する。
【実施例１】
【００１５】
図１ないし図２は、それぞれ本発明の実施例１におけるカメラ一体型ＶＴＲのカセット扉の開、閉状態における要部斜視図を示し、図３は、同カセット扉の開状態における要部断面図を示す。図４は、カセット扉のアーム部と支持部の接続を説明する斜視図である。
本実施の形態において、前述の従来構成と異なる点は、図１に示すように、レンズ部１１とファインダ部１２を含めずに回動するカセット扉９が、レンズ部１１とファインダ部１２の間にアーム９ａを有しており、そのアーム９ａにより支持されトップケース１０の中心軸を回転中心にして回動するように、本体部２とアーム９aを介して係合させて構成している点である。
【００１６】
カセット扉９は、略直方体であり、上面と外側側面はグリップとして持ちやすい曲面形状になっており、底面とレンズ側側面はなく内部は空洞になっている。フロント面とリア面は、上面の長さよりレンズ側に長く、それぞれに、円弧のスリット２０を設けてある。
また、本体フレーム１６のフロント面とリア面それぞれスリット２０に対応する位置にボス２１を設け、スリット２０とボス２１を係合する。
【００１７】
アーム９ａは、カセット扉上面の長手方向に対して略中央部から、天井部と側面部に接しトップケース１０の中心部に向かって突出するように形成し、先端には孔１４を設けている。
【００１８】
支持部は、本体シャーシ部１６の、レンズ部１１・ファインダ部１２の空隙に位置するアームガイド部１７と、アームガイド部１７に設けられた孔１８と、ファインダーベースフレーム１９に設けられたボス１５からなる。トップケース１０の中心軸に合わせ空けられた孔１８と、アーム９ａに設けられた孔１４とを合わせた状態で、ファインダベース部１９のボス１５を貫通することでアームを係合する。
【００１９】
このようにすることで、アーム９ａの回転中心軸をトップケース１０の中心軸に設定することができ、トップケース１０の外周と一定のクリアランスを保ちながら回動することが可能となる。
【００２０】
また、録画，再生機構部７はカセット扉９が開いた後に、図３に破線で示す位置まで飛び出してくる。
【００２１】
この構成によれば、図３に示すように、カセット扉９の回動軌跡上に当たるものが無いため開閉範囲を広くでき、録画，再生機構部７の可動範囲を開閉させることができる。
仮に、カセット扉９がトップケース１０の中心軸と異なる回転中心にて回動する場合、カセット扉９の回動軌跡がトップケースと当たり、開閉範囲が制限されてしまい、録画，再生機構部７の可動範囲を開閉させることができないことがある。この場合アーム９ａを長くして外方にカセット扉９を逃がすしかなく、外形寸法が大きくなってしまう。
【実施例２】
【００２２】
図６は、本発明の実施例２におけるカメラ一体型ＶＴＲのカセット扉の閉状態における要部斜視図である。
【００２３】
実施例１の構成では、図２、図５に示すように、トップケース１０にはカセット扉９のアーム９ａの回動範囲を確保するためにスリット１０ａを設ける必要がある。
図６に示すように、カセット扉９に設けたスリット隠し部９ｂを、少なくともスリット１０ａより高く、かつ、トップケース１０と外接することによって前記スリット１０ａを隠すことができ、外観向上と共に、ゴミ等がスリット１０ａから内部に入ることを軽減除去できる。
【実施例３】
【００２４】
図５は、本発明の実施例３におけるカメラ一体型ＶＴＲのカセット扉の閉状態における要部斜視図である。
【００２５】
図５において、実施例１の構成と異なるところは、ハンドストラップ１３をカセット扉９に取付けて構成した点である。
【００２６】
カセット扉９の側面のフロント側にフロント側固定部２３とリア側にリア側固定部２２はハンドストラップ１３を取り付けるための固定部を有している。フロント側固定部２３とリア側固定部２２にハンドストラップ１３を固定することで、通常の撮影時には、手をハンドストラップ１３とカセット扉９の間に通すことで手にカメラを固定することができる。また、カセットの挿入、取り出しの際には、ハンドストラップ１３を持って動かすことにより、カセット扉９の開閉ができ、ハンドストラップ１３がカセット扉９と共に上方へ移動する為、ハンドストラップ１３が邪魔にならずカセットの挿入・取り出しが容易になるという利点も発現する。
【産業上の利用可能性】
【００２７】
本発明にかかるカメラ一体型ＶＴＲは、カセットを水平方向に挿入，配置して録画，再生する機構部を備えたカメラ一体型ＶＴＲにおいて、カセット扉がトップケースの中心軸を回転中心にして回動することにより十分な開閉範囲を確保でき小型化が図れるとともに、カセット扉に電気的接続に対する耐久性に優れた構成として有用である。
【図面の簡単な説明】
【００２８】
【図１】本発明の実施例１におけるカセット扉の開状態における要部斜視図
【図２】同カセット扉の閉状態における要部斜視図
【図３】同カセット扉の開状態における要部断面図
【図４】同カセット扉の接続部における要部斜視図
【図５】本発明の実施例２におけるカセット扉の閉状態における要部斜視図
【図６】本発明の実施例３におけるカセット扉の閉状態における要部斜視図
【図７】従来のカメラ一体型ＶＴＲのカセット扉の開状態における平面図
【符号の説明】
【００２９】
１      カメラ一体型ＶＴＲ
２      本体部
３      カセコン本体
４      可動部
５      カセコン蓋
６      回路基板
７      録画，再生機構部
８      光学機構部
９      カセット扉
９ａ    アーム
９ｂ    スリット隠し部
１０    トップケース
１０ａ  スリット
１１    レンズ部
１２    ファインダ部
１３    ハンドストラップ
１４    孔
１５    ダボ
１６    本体フレーム
１７    アームガイド部
１８    孔
１９    ファインダーベースフレーム
２０    スリット
２１    ボス
２２    リア側固定部
２３    フロント側固定部
【図１】
2008005369.tif 000003
【図２】
2008005369.tif 000004
【図３】
2008005369.tif 000005
【図４】
2008005369.tif 000006
【図５】
2008005369.tif 000007
【図６】
2008005369.tif 000008
【図７】
2008005369.tif 000009